Podtech/llm-jp-corpus-v4-ja_patent huggingface dataset:
(57)【要約】      （修正有）【課題】家庭用マルチ安全寝具の外側は、チタンか強化軽金属を２重層で囲み、内側は石綿と不燃布か、チタンか、軽金属の薄い物で囲んだ、家庭の中で最高級の自動車の内装と設備以上の地震国日本で、快適、安全に優れたマルチ安全寝具を提供する。【解決手段】寝具の外側をチタンなどの軽金属を２重にしたもので囲い、建物の崩落や、落下物から身を守り、内側を石綿などの断熱材でそれをチタンの薄いもので囲い、火災などから身を守り、尚更、最高級自動車以上の設備を施し、地震、花粉、ばい菌、健康などの不安を取り除き、究極の寝具として自己責任で自分を守る為の寝具であり、その形態は円形でも四角でも良い。又、夫婦型も出来るし、その形態は大きくても良い。平常時は家庭用の電源を使用、緊急時電池に切り替える。【選択図】  図１
2006283538.tif 000002
【特許請求の範囲】
【請求項１】
１ｔくらいの重力に耐える構造とし、約８００℃くらいの火力に耐える耐火構造にする。ドーム型個人用寝具で、簡単構造で軽量化し、内部をアルファゲルなどで人間を保護する耐火構造で、地震などで家が崩壊しても瓦礫の下敷きからも火災からも守り、安全性を特徴としたマルチ安全寝具。
【請求項２】
人間は生存中の３分の１は寝ている計算になる。人間として寝る行為を快適に有酸素装置、リラックス臭装置、空調設備、マイナスイオン、脱臭装置、消毒装置、乾燥装置をたとえば自動車の内部以上の設備を備えた事を特徴としたマルチ安全寝具。
【請求項３】
車のリクライニングと同様にベッドが６０°まで起きる。又、正面にはテレビ、ＣＤ、ＭＤ、スピーカー、電話、パソコン、簡易式無臭トイレ、５日分の水、サプリメントを内蔵した事を特徴としたマルチ安全寝具。
【請求項４】
ドーム内は、災害が発生して瓦礫に中になっても５日間はブザーを発して場所を知らせる。又、ドームの中の装置は、５日間は使用可能な状態を賄える電池で保つ事を特徴としたマルチ安全寝具。
【請求項５】
地震、花粉症、ばい菌、津波など自分を守るのは自己責任であり、寝ている間は無抵抗であり、突然の家具の倒れ、家の崩壊、水害などから身を守り、快適、快眠、安心、安全を同時に出来る事を特徴としたマルチ安全寝具。
【請求項６】
水害などの災害ではこの寝具は水に浮き、船に替わる事を特徴とした、夫婦型も措置できるマルチ安全寝具。
【発明の詳細な説明】
【技術分野】
【０００１】  本願発明は、地震国日本での災害で家屋の倒壊及び家具などの圧死が圧倒的に多い。それらの問題を解決し、尚且つ快適な睡眠と健康管理を兼ね備えた安全で安心な究極の寝具に関する。
【背景技術】
【０００２】  人間傷害の中で３分の１以上を寝ている計算になるが、人間が寝具に対する認識と、無防備さと、眠る事の重要性に希薄で従来の寝具では満たされない問題があるなどの困難が多々あった。
【発明が解決しようとする課題】
【０００３】  従来の寝具は、ベッド及び畳の上に直接布団を敷くなど睡眠中、布団の上は完全なる空間で、突然の災害などには全く無防備状態で自らの身体を落下物、倒壊物から守る術が無い。本願発明は、１ｔくらいの重力に耐え、尚且つ８００℃からの火災に耐えるなどの他に、自動車などの内部以上の設備で快適、快眠、安全、安心を容易に出来るドーム型寝具を提供する。
【課題を解決する為の手段】
【０００４】  上記目的を実現する為、本願発明は素材を強化軽金属もしくはチタンなどを使用。１ｔ程度の重圧に耐える２重構造とし、空気の層を作り、内装には石綿を使用し、不燃の布を使用して石綿を囲む。なおさら自動車の内蔵している以上の設備と寝具として究極の健康、快眠、安全を成す事を特徴としている。
【発明を実施するための最良の形態】
【０００５】  本願発明に係る実施形態に付いては、図面にて詳細に説明する。【０００６】  図１、図２で示す通り、外壁がチタンなどの軽金属で覆っている為、非常に頑丈で家屋の崩壊や、落下物から身を守る。【０００７】  図２、図３、図５、図７で示す通り、強度を保つ中にあらゆる設備を施し、快適と安全を確保しながら睡眠できる。
【図面の簡単な説明】
【図１】  斜め上から見た全体図
【図２】  正面切断図
【図３】  右横切断図
【図４】  Ａ  断面図
【図５】  左横切断図
【図６】  Ｂ  断面図
【図７】  リクライニング図
【符号の説明】
▲１▼．チタン、強化軽金属
▲２▼．石綿
▲３▼．アルファゲル
▲４▼．無圧布団
▲５▼．エアコン、空調、マイナスイオン
▲６▼．空気清浄機、酸素器
▲７▼．ハーブ臭、脱臭、消毒器
▲８▼．赤ランプ
▲９▼．ブザー
▲１０▼．電球（白、緑、青、赤）
▲１１▼．ドア
▲１２▼．ＴＶ、ＣＤ、ＡＭ、ＦＭ
▲１３▼．ＤＶＤ、ＭＤ
▲１４▼．サプリメント
▲１５▼．ミネラル水
▲１６▼．スピーカー
▲１７▼．電話
▲１８▼．リクライニング
▲１９▼．枕
▲２０▼．無臭簡易トイレ
▲２１▼．不燃布
▲２２▼．耐熱ガラス２重
▲２３▼．磁器
▲２４▼．電池
▲２５▼．ボンベ
【図１】
2006283538.tif 000003
【図２】
2006283538.tif 000004
【図３】
2006283538.tif 000005
【図４】
2006283538.tif 000006
【図５】
2006283538.tif 000007
【図６】
2006283538.tif 000008
【図７】
2006283538.tif 000009
(57)【要約】      （修正有）【課題】鉛筆等で書き物を、する時、手の書面に、触れてる部分が、汚ごれるのを、防ぐ、又、服のそで口も汚ごれるのを防ぎさらに、普通の手袋とは、ちがい、小指以外の指が、露出している為ノート・書類・お金を扱う時さしつかえなく作業できる手袋を提供する。【解決手段】小指と、手の書面に対して接触する部分だけをカバーする手袋。【選択図】図１
2006283263.tif 000002
【特許請求の範囲】
【請求項１】
小指以外の、指は、露出し、書面（下面）に、直接、肌が、触れない事を、特徴と、する手袋。
【請求項２】
鉛筆や・シャーペン・習字の墨汁等で、書きものをしている時、手の書面に、触れる部分が黒くよごれる為それを、防ぐ効果がある。又、小指以外は、布が、かぶっていないので、ノートを、めくる時、書類を扱う時、又、お金を扱う時にも、さしつかえなく作業できる。
【発明の詳細な説明】
【説明】
手に、ハメるもので、手首は、軽いしまりがあるように、ピシッと、とまってあり、布は、小指から手首に、だけ手の側面（小指側）を、カバーしている。
2006283263.tif 000003
【手続補正書】
【提出日】平成18年2月24日(2006.2.24)
【手続補正２】
【補正対象書類名】明細書
【補正対象項目名】全文
【補正方法】変更
【補正の内容】
【発明の詳細な説明】
【技術分野】
【０００１】  本発明は筆記等をする時に手が汚れないようにするための新しい手袋に関する。
【発明の開示】
【発明が解決しようとする課題】
【０００２】  筆記をしていると、手の書面に接する部分が黒く汚れてしまう。
【課題を解決するための手段】
【０００３】  本発明は、上記目的を達成するために、手の書面に接する部分が汚れないように、書面に接する部分を布でカバーし、直接書面に手が触れなくしたものである。
【発明の効果】
【０００４】  本発明により、筆記等をしている時に、手の書面に接する部分が汚れなくなる。【０００５】  本発明により、筆記等をしている時に、手汗によって紙がしめってしまうことがなくなる。
【発明を実施するための最良の形態】
【０００６】  書き物をする時に手に装着する。
【図面の簡単な説明】
【０００７】
【図１】本発明を装着した時の手のヒラ側から見た「平面図」である。
【図２】本発明を装着した時の手の甲側から見た「平面図」である。
【図３】本発明の「立体図」である。
【符号の説明】
１  肌の露出している部分。
２  本発明。
３  ゴムの部分。
４  本発明の内側。
【手続補正３】
【補正対象書類名】特許請求の範囲
【補正対象項目名】全文
【補正方法】変更
【補正の内容】
【特許請求の範囲】
【請求項１】
小指以外の、指は、露出し、書面（下面）に、直接、肌が、触れない事を、特徴と、する手袋。
【請求項２】
鉛筆や・シャーペン・習字の墨汁等で、書きものをしている時、手の書面に、触れる部分が黒くよごれる為それを、防ぐ効果がある。又、小指以外は、布が、かぶっていないので、ノートを、めくる時、又、お金を扱う時にも、さしつかえなく作業ができる。
【請求項３】
本発明を装着したとき、本発明が、肌に、フィットしやすくするために、小指と薬指の、間から、親指のつけねに渡る、布と、肌の、境目部分（図３の符号３）を、ゴムで、伸縮自在にして、肌から、離れにくくしている事を、特徴と、する手袋。
【手続補正４】
【補正対象書類名】図面
【補正対象項目名】全図
【補正方法】変更
【補正の内容】
【図１】
2006283263.tif 000004
【図２】
2006283263.tif 000005
【図３】
2006283263.tif 000006
(57)【要約】        【課題】日常に於ける裾の長い衣類と履物は、同時着用が常である。この時衣類の裾が履物との間に入り込み、歩行の妨げ及び不快感を覚えながら歩行を続ける事が多い。本考案は踵と履物の間に衣類の裾が入るのを外観から見て気付かれることなく防止する事を目的とする。        【解決手段】  本発明のバランス  パット図１は、人体足部の踵部分の形に沿う様に半円形で形成された。裾の長い衣類に粘着する部分を２とし取り付け、取り外しが簡単な粘着テープで衣類に固定する。３は、衣類の本来の形態を損なわない為のセンターラインが工夫してあり、衣類に本発明のパットを装着している事が外観から見ても気付かれず、図１のS面に絵柄などで装飾する。素材は万が一踏んだりしても怪我などする恐れのない素材が望ましく、ここではスポンジ材を使用する事で、安全で軽量な不必要な接触部位を排除するパットが出来た。本発明の半円形パット装着により全ての解決が望める。    【選択図】図１
2006283266.tif 000002
【特許請求の範囲】
【請求項１】
本体に衣類との粘着テープを付けた、厚みのあるスポンジ材で形成したセンターライン付き半円形パット。
【発明の詳細な説明】
【技術分野】
【０００１】
本発明は衣類と履物に於ける空間の確保するパット関する。
【背景技術】
【０００２】
男女間を問わず、裾の長い衣類と履物間の空間がしばしば除外され、歩行に不快感を禁じえなかった。
本発明は、この不快感の除外、空間の確保を目的とする。
【発明の開示】
【発明が解決しようとする課題】
【０００３】
本発明はジーンズ及び裾の長いパンツなどの衣類を着用した際に、衣類の裾が踵と履物の間に入り込むのを防止する。
【０００４】
本発明を用いる事により、衣類の本来の能力をより一層引き立てる事が出来ると共に、履物の選定をより安易にする事か出来る。
【課題を解決するための手段】
【０００５】
不必要な接触部位の排除をする為に、厚みがあり尚かつ軽量な素材、ここではスポンジ材を使用し人体足部の踵に沿う半円形のパットを形成し、２の部分が粘着テープで衣類に装着する。
【発明の効果】
【０００６】
本発明のパットを装着する事により、踵と履物間に生じる無駄な空間を除外され、本来衣類の形態を崩さない３のセンターラインが形成している為、外観から見て気付かれる事なく、快適な歩行が約束される。
【発明を実施するための最良の形態】
【０００７】
形態および厚みに関しては、対象衣類に合わせ自在とする。例えば、本発明を図面に基づいて説明すると本考案の半円形のパット１は厚み約２．０ｍｍから２０．５ｍｍの半円形のスポンジ材を用い、図１の、S面を表示し、S面が人体足部の踵部分に向き合う様設置する。１のＡ点からB点は約１６０ｍｍ半円形のカーブを画き踵の部分に対面しあう部分であり、１のＤ点からK点の底幅を２０ｍｍから２５ｍｍの厚みとしC点にそって細くした。ここでは図２、１の裏面をＭ面と表示し、Ｍ面側はパンツなど衣類に装着する側であり、D点を通過するA点からＢ点の長さを約１７０ｍｍとし、図１から図６に表示されている２部分はA点からH点、B点からJ点が大切な粘着部分とし、幅は約１０ｍｍから３０ｍｍ程度でパンツなど衣類の縫い代の平均サイズに合わせて作り、３のD点からC点にはセンターラインの線を立体的に付け、図５，６の様に外観から見ても装着している部分を分からなくする工夫をして、みた。この形態こそが、快適に歩行する際に衣類と履物間に空間を確保する。
【実施例１】
【０００８】
１は、人体足部の踵部分に沿って厚みのある軽量な半円形のパットで形成する事で装着感もなく、パンツ等の衣類に装着する部分にセンターラインを付け、本来の衣類の形態を損なわない。
【０００９】
１の原材料は、万が一本考案のパットを踏んだりしても怪我などする恐れのない、スポンジ素材が望ましく自在である。
【００１０】
１には、衣類に粘着する為の取り付け、２の場所に取り外し簡単な粘着テープを付けた。
【００１１】
１は、踵部分に対面しあうS面に絵柄で装飾する事により
人が椅子に腰掛けて足を組んだ場合や、しゃがんで１が外観にさらされたとしても、異物間を感じさせない工夫がしてある。
【産業上の利用可能性】
【００１２】
履物、衣料業界共に福音になる可能性が大である。
【図面の簡単な説明】
【００１３】
【図１】本発明のパットを立体に見た所を示した斜視図である。
【図２】本発明のパットを背後から見た所を示した背面図である。
【図３】本発明のパットを右横から見た所を示した側面図である。
【図４】本発明のパットを上部から見た所を示した鳥観図である。
【図５】本発明のパットを装着し、背後から見た所を示した総体図である。
【図６】本発明のパットを装着し、右側面から見た所を示した。
【符号の説明】
【００１４】
１  半円形パット
２  装着の為の粘着部分
３  センターライン
【図１】
2006283266.tif 000003
【図２】
2006283266.tif 000004
【図３】
2006283266.tif 000005
【図４】
2006283266.tif 000006
【図５】
2006283266.tif 000007
【図６】
2006283266.tif 000008
(57)【要約】      （修正有）【課題】別部品として製作したり、別梱包したりする必要がなく、また紛失するおそれのない、コスト削減可能な転倒防止スタンド付の製品を提供する。【解決手段】スタンド２を製品本体１に、水平方向に回転可能に固定する。梱包、配送時にはスタンド２を製品本体１の外形に沿わせる形状として省スペース化と紛失防止を図る。製品の使用時にスタンド２が必要な際には、それを９０°回転させ転倒を防止する。スタンドが不必要の際には９０°回転させ、元に戻す。【選択図】図２
2006283960.tif 000002
【特許請求の範囲】
【請求項１】
製品本体（１）と、着脱且つ収納可能なスタンド（２）を組み合わせた製品。
【発明の詳細な説明】
【発明の詳細な説明】
【技術分野】
【０００１】この発明は、転倒防止目的のスタンドを製品本体の一部として考えたものである。
【背景技術】
【０００２】従来の転倒防止用スタンドは製品本体と別に考えられていた。
【発明が解決しようとする課題】
【０００３】これはつぎのような欠点があった。
従来のスタンドは本体とは別部品として存在していたためこれが不必要な場合には余分で邪魔なものとなっていた。これはスタンドの紛失やそれの収納場所確保の煩わしさに結びつく。また、スタンドの部品製作が必要になりそれの梱包作業及び余分な梱包スペースが必要になるなど、商品の価格上昇に繋がる。
本発明は、以上のような欠点をなくすためになされたものである。
【課題を解決するための手段】
【０００４】スタンド（２）を製品本体（１）の一部として考える。スタンド（２）が必要な際にはそれを９０°回転させる。
本発明は、以上の構成よりなる転倒防止スタンドである。
【発明を実施するための最良の形態】
【０００５】以下、本発明の実施の形態について説明する。
製品本体（１）の一部としてスタンド（２）が存在している。このスタンド（２）を軸（３）に対して９０°回転させ転倒防止スタンドとする。
【発明の効果】
【０００６】スタンド（２）が製品本体（１）の一部であるのでスタンドが不必要な場合でも再び収納にすることによりスタンドの収納の簡易化、省スペース化及び紛失防止になる。また、製品の出荷時にもスタンドの梱包材料の削減及びそれに必要な作業が省略になり商品の価格削減に繋がる。
【図面の簡単な説明】
【図１】本発明の斜視図である。
【図２】本発明の斜視図である。
【符号の説明】
１    製品本体
２    スタンド
３    軸
【図１】
2006283960.tif 000003
【図２】
2006283960.tif 000004
(57)【要約】【課題】本発明は、いろいろな日用品等を壁や柱などから吊り下げるときに用いられる用具である。  通常、吊り下げる部分（いわゆる吊り元）と吊り下げたい物品の高さによって、各々の希望に応じた長さの吊り下げ具が求められるが、なかなか希望どおりの長さの吊り下げ具が無いことも多い。そこで、長さを調節することによって、希望の高さの吊り位置が確保できる吊り下げ具を提供する。【手段】本体を二つの部分によって構成し、一つの構成部分は、鉤型の端部と中間部が複数の穴のあいた板状になっている。もう一つの構成部分は、端部が鉤型で反対側の端部を前記の構成部分の中間部の穴に引っ掛けられるように曲げてある。  本発明は、以上の構成により長さの調節ができる吊り下げ具である。【選択図】図１
2006283961.tif 000002
【特許請求の範囲】
【請求項１】
物体を吊り下げるために両端が鉤形になっており、その長さの調節ができるように中間部を工夫した吊り下げ具。
【請求項２】
端部が鉤形で中間部が複数の穴のあいた板状になっている部分と、端部が鉤形でかつ反対側の端部がもう一方の部分の中間部に設けられた穴に引っ掛けられるように曲げられた部分とで構成された吊り下げ具。
【請求項３】
一方の構成部分の中間部に設けられた複数の任意の穴に、もう一方の構成部分の端部を引っ掛けることによって全体の長さ調節ができる吊り下げ具。
【発明の詳細な説明】
【技術分野】
【０００１】  本発明は、物品を吊り下げるための用具であって、その長さの調節ができる吊り下げ具に関するものである。
【背景技術】
【０００２】  従来、物品を吊り下げるために、両端部が鉤型になった棒状の用具が広く用いられているが、このとき、吊り下げる物品の希望の位置若しくは高さに合致する長さの吊り下げ具が求められることになる。
【発明の開示】
【発明が解決しようとする課題】
【０００３】  吊り下げる物品の希望の位置若しくは高さに合致する長さの吊り下げ具がないと複数の吊り下げ具を組み合わせて使わなければならないなどの不便が生じる。
本発明はその不便を解決するため、ひとつの用具で長さの調節ができるようにしたものである。
【課題を解決するための手段】
【０００４】  本体を二つの部分によって構成し、一つの構成部分は、鉤型の端部と中間部が複数の穴のあいた板状になっている。もう一つの構成部分は、端部が鉤型で反対側の端部を前記の構成部分の中間部の穴に引っ掛けられるように曲げてある。
本発明は、以上の構成により長さの調節ができる吊り下げ具である。
【発明の効果】
【０００５】  本発明を使用することにより、物品を吊り下げる際に手軽に希望に応じた位置若しくは高さに設定できる。
【発明を実施するための最良の形態】
【０００６】  以下、本発明の実施の形態を説明する。
（イ）細長い板状の物体（１）に複数の穴（２）を設ける。
（ロ）鉤型の棒（３）の根元を（１）の端部と接続する。
（ハ）長さが（１）と同じくらいの端部が鉤型の棒（４）の反対側端部（５）を折り曲げ、（２）に差し込んで引っかかるようにする。
（ニ）（１）と（４）を接続するため、（１）の端部〔（３）を接続したほうの反対側〕を折り曲げ、折り曲げた部分の穴に（４）を差し込むことによって、二つの構成部分を一体で使用する。
本発明は、以上の構成よりなる。
本発明を使用するときは、（４）の折り曲げ部（５）を（１）の任意の穴（２）に引っ掛けることによって、全体の長さが調節できる。
【図面の簡単な説明】
【０００７】
【図１】本発明の斜視図
【図２】本発明の構成部分１の斜視図
【図３】本発明の構成部分２の斜視図
【図４】本発明の側面図
【符号の説明】
【０００８】  （１）板状物体、（２）穴、（３）鉤型棒部分、（４）鉤型棒部分、（５）端部
【図１】
2006283961.tif 000003
【図２】
2006283961.tif 000004
【図３】
2006283961.tif 000005
【図４】
2006283961.tif 000006
(57)【要約】  【課題】  従来と比較して安全性を向上することができる塗料用溶剤を提供する。  【解決手段】  天然ガスより合成したＧＴＬ（Ｇａｓ  Ｔｏ  Ｌｉｑｕｉｄｓ）を、芳香族炭化水素、エステル類及びケトン類を添加せずに塗料用溶剤とした。得られた塗料用溶剤の溶解力を「昭和６１年度石油製品需要適正化調査」（財）日本塗料検査協会に準拠して測定すると、ＫＢ（Ｋａｕｒｉ  Ｂｕｔａｎｏｌ）値が２９．０であった。得られた塗料用溶剤は、芳香族炭化水素、エステル類及びケトン類を含有しないので、従来と比較して安全性を向上することができる。また、殆ど臭いが無いので、取り扱い易い。【選択図】  なし【特許請求の範囲】
【請求項１】
天然ガスを原料とし、これを熱分解及び触媒を用いた接触反応により合成された低分子量のノルマルパラフィンとイソパラフィンの混合物を主成分とし、芳香族炭化水素、エステル類及びケトン類を含有しないことを特徴とする塗料用溶剤。
【発明の詳細な説明】
【技術分野】
【０００１】
本発明は、塗料用溶剤に関する。
【背景技術】
【０００２】
従来の塗料用溶剤として、芳香族炭化水素系の溶剤が知られている。しかしながら、芳香族炭化水素は、溶解力に優れているものの、刺激臭が強く有害である。
【０００３】
そこで、芳香族炭化水素系の溶剤と比較して安全性の高い塗料用溶剤として、有害な芳香族炭化水素を含まず、石油系の溶剤であるミネラルターペンを主成分とした塗料用溶剤が知られている。なお、ミネラルターペンを主成分とした塗料用溶剤は、芳香族炭化水素系の溶剤と比較して溶解力が低いので、エステル類又はケトン類を添加することによって溶解力を高めることが知られている（例えば、特許文献１参照。）。
【０００４】
更に、石油系の溶剤と比較して安全性の高い塗料用溶剤として、有害な芳香族炭化水素を含まず、石油と比較して有害物の含有量が少ない天然ガス系の溶剤であるパラフィンを主成分とした塗料用溶剤が知られている。なお、パラフィンを主成分とした塗料用溶剤は、芳香族炭化水素系の溶剤と比較して溶解力が低いので、エステル類又はケトン類を添加することによって溶解力を高めることが知られている（例えば、特許文献２参照。）。
【特許文献１】特開２００３−５５６０５号公報
【特許文献２】特開２００３−１９２９８９号公報
【発明の開示】
【発明が解決しようとする課題】
【０００５】
本発明は、従来と比較して安全性を向上することができる塗料用溶剤を提供することを目的とする。
【課題を解決するための手段】
【０００６】
本発明の塗料用溶剤は、天然ガスを原料とし、これを熱分解及び触媒を用いた接触反応により合成された低分子量のノルマルパラフィンとイソパラフィンの混合物、通称ＧＴＬ（Ｇａｓ  Ｔｏ  Ｌｉｑｕｉｄｓ）を主成分とし、芳香族炭化水素、エステル類及びケトン類を含有しないことを特徴とする。
【０００７】
この構成により、本発明の塗料用溶剤は、芳香族炭化水素、エステル類及びケトン類を含有しないので、従来と比較して安全性を向上することができる。
【発明の効果】
【０００８】
本発明によれば、従来と比較して安全性を向上することができる塗料用溶剤を提供することができる。
【発明を実施するための最良の形態】
【０００９】
天然ガスより合成したＧＴＬを、芳香族炭化水素、エステル類及びケトン類を添加せずに塗料用溶剤とする。
【００１０】
得られた塗料用溶剤は、芳香族炭化水素、エステル類及びケトン類を含有しないので、従来と比較して安全性を向上することができる。また、殆ど臭いが無いので、取り扱い易い。
【実施例】
【００１１】
天然ガスより合成した炭素数３〜１５のノルマルパラフィン、イソパラフィン、ナフテン系炭化水素の混合物（それぞれの成分比率は約５：２：３）を主成分とするＧＴＬを、芳香族炭化水素、エステル類及びケトン類を添加せずに塗料用溶剤とした。得られた塗料用溶剤の溶解力を「昭和６１年度石油製品需要適正化調査」（財）日本塗料検査協会に準拠して測定すると、ＫＢ（Ｋａｕｒｉ  Ｂｕｔａｎｏｌ）値が２９．０であった。
(57)【要約】【課題】シーブとベルト間に滑りの生じることのないエレベーター用巻上機の提供。  【解決手段】巻上機１に設けられたシーブ２のシーブ溝３に取り外し自在にベルト５を巻きかけ、このベルト５上に主索７を巻いて乗りかごを昇降させるようにしたエレベーター用巻上機において、前記シーブ溝３に凹部４或いは凸部を形成し、かつ、前記ベルト５に前記凹部４或いは凸部と係合する凸部６或いは凹部を設けた構成。【選択図】図１
2006137510.tif 000002
【特許請求の範囲】
【請求項１】
巻上機に設けられたシーブのシーブ溝に取り外し自在にベルトを巻きかけ、このベルト上に主索を巻いて乗りかごを昇降させるようにしたエレベーター用巻上機において、
前記シーブ溝に凹部或いは凸部を形成し、かつ、前記ベルトに前記凹部或いは凸部と係合する凸部或いは凹部を設けたことを特徴とするエレベーター用巻上機。
【請求項２】
前記巻上機に、前記ベルトの磨耗量を検出するセンサーを設けたことを特徴とする請求項１記載のエレベーター用巻上機。
【発明の詳細な説明】
【技術分野】
【０００１】
本発明は、主索の巻き掛けられるシーブを備えたエレベーター用巻上機に関する。
【背景技術】
【０００２】
一般に主索の巻き掛けられるシーブを備えたエレベーター用巻上機において、前記シーブに弾性体のベルトを巻き掛け或いはライニングを施し、主索との騒音問題或いは摩擦駆動力の確保を図ったものが提案されている（例えば、特許文献１、特許文献２参照）。
【特許文献１】特開昭５７−７７１９８号公報
【特許文献２】特開昭５９−４５８９号公報
【発明の開示】
【発明が解決しようとする課題】
【０００３】
しかしながら、上記提案されたライニングを施したものでは、ライニングが磨耗した場合、非常に手間の掛かるシーブそのものを交換しなければならないという問題があった。しかし、この問題は、引用文献１のように取り外しできるようにベルト掛けにすれば解決するが、ベルト掛けであるとシーブとベルト間に滑りが発生し摩擦駆動力が十分に主索に伝達されないという問題の生じる恐れがあった。
【０００４】
本発明は、上述した従来技術における実情からなされたもので、その目的は、シーブとベルト間に滑りの生じることのないエレベーター用巻上機を提供することにある。
【課題を解決するための手段】
【０００５】
前記目的を達成するために、本発明は、巻上機に設けられたシーブのシーブ溝に取り外し自在にベルトを巻きかけ、このベルト上に主索を巻いて乗りかごを昇降させるようにしたエレベーター用巻上機において、前記シーブ溝に凹部或いは凸部を形成し、かつ、前記ベルトに前記凹部或いは凸部と係合する凸部或いは凹部を設けた構成にしている。
【０００６】
このように構成した本発明は、シーブ溝に設けられた凹部或いは凸部に、ベルトに設けられた凸部或いは凹部が係合するため、両者には滑りが生じることはなく適切な摩擦駆動力を確保することができる。
【発明の効果】
【０００７】
本発明によれば、シーブ溝に設けられた凹部或いは凸部に、ベルトに設けられた凸部或いは凹部が係合するため、両者には滑りが生じることはなく適切な摩擦駆動力を確保することができ、安定した駆動力の発揮できるエレベーター用巻上機を得ることができる。
【発明を実施するための最良の形態】
【０００８】
以下、本発明に係るエレベーター巻上機の実施形態を図に基づいて説明する。
【０００９】
図１は本発明のエレベーター巻上機の一実施形態を示す正面図、図２は図１のA−A断面図、図３はベルトの一部が磨耗した時の状態を示す図２相当図である。
【００１０】
図において、１は巻上機１で、この巻上機１にはシーブ２が回転自在に設けられている。シーブ２にはシーブ溝３が設けられ、このシーブ溝３の下方に複数個の凹部４が形成されている。５は前記シーブ溝３に係合するよう巻き掛けられたベルトで、このベルト５には前記凹部４に嵌合する凸部６が設けられている。７は前記ベルト５上に巻き掛けられた主索で、この主索７の一端は図示されていない返し車を経由するか直接かご側に伸び、もう一端も同様に返し車を経由するか直接つり合いおもり側に伸びている。８は前記主索７に対向して設けられ、この主索７の接近を検出するセンサで、このセンサ８は支持体９により巻上機１に取り付けられている。
【００１１】
このようにシーブ溝３に設けられた凹部４に、ベルト５に設けられた凸部６が嵌合するように設けられているため、シーブ溝３に巻き掛けられるベルト５のスリップが防止されるほか、例えば樹脂被覆した主索７を使用する場合、ベルト５とのトラクションを好適に保ちつつも主索７の被覆面へのダメージを最小限に抑えることが可能となる。
【００１２】
また、何らかの理由でベルト５が磨耗し、図３に示すようにシーブ２の外周面より主索７が落ち込み、この落ち込み量がAとなった場合、主索７はセンサ８に接近しセンサ８が動作する。このセンサ８の動作によって、図示しない表示器等が動作しベルト５の交換時期であることを知ることができる。
【００１３】
また、上記一実施例では、シーブ溝３に凹部４を、ベルト５に凸部６を設けた例を示したがシーブ溝３に凸部を設け、ベルト５に凹部を設けても同様の効果が期待できる。
【図面の簡単な説明】
【００１４】
【図１】本発明のエレベーター巻上機の一実施形態を示す正面図である。
【図２】図１のA−A断面図である。
【図３】ベルトの一部が磨耗した時の状態を示す図２相当図である。
【符号の説明】
【００１５】
１    巻上機
２    シーブ
３    シーブ溝
４    凹部
５    ベルト
６    凸部
７    主索
８    センサ
９    支持体
【図１】
2006137510.tif 000003
【図２】
2006137510.tif 000004
【図３】
2006137510.tif 000005
(57)【要約】【課題】  安全な用紙後処理装置を提供すること。【解決手段】  用紙後処理装置のトレイ６上に積載された用紙４の幅方向位置を揃えるための用紙ガイド５に、トレイ６または積載用紙間で指等が挟まれた場合、用紙ガイド５が上方に移動し保護カバー１２を押し上げる機構を持たせ、保護カバー１２の開閉検出スイッチ１３を動作させてトレイ６の動作を停止させる。【選択図】図１
2006137551.tif 000002
【特許請求の範囲】
【請求項１】
画像形成装置の出力部分に取り付けられ、排出された用紙を積載する上下動作可能なトレイと、
前記排出された用紙の用紙送り方向に垂直な用紙幅方向の積載位置ずれを抑え揃える用紙ガイド部材と、
前記トレイに積載された用紙の上面または前記トレイの上面が所定位置で止まる機構と、
前記用紙ガイドが上下にスライド移動し前記トレイまたは積載された用紙上面から離れる移動手段と、
前記トレイの動作を停止させてスタックした用紙を取り出す開閉可能な保護カバーと、
前記保護カバーの開閉検出機構と、を有する用紙後処理装置において、
前記用紙ガイドが上方に所定の距離をスライド移動した場合、前記用紙ガイドが前記保護カバーを持ち上げることにより前記開閉検出機構を動作させ、前記トレイの動作を停させることを特徴とする用紙後処理装置。
【発明の詳細な説明】
【技術分野】
【０００１】
本発明は複写機やプリンター等の画像形成装置の出力部分に取り付けられる用紙後処理装置に関するものである。
【背景技術】
【０００２】
従来の用紙後処理装置のトレイ上に積載された用紙の幅方向位置を揃えるための用紙ガイドは、排出ローラから排出された用紙をトレイ上の用紙幅方向の所定位置に落下させるべく、用紙が落下着地する間際まで位置ずれしないように、用紙落下位置に近接して設けられるのが一般的である。また、トレイが上下動可能で、且つトレイ外に用紙ガイドが設けられているとき、用紙ガイドとトレイまたは積載用紙の距離は近接したり離れたりしうるため、用紙ガイドを上下にスライド移動させることにより防止している（例えば、特許文献１参照）。
【０００３】
【特許文献１】特開２００３−９５５１７号公報
【発明の開示】
【発明が解決しようとする課題】
【０００４】
用紙を取り出す場合、保護カバーを開けることによりトレイの動作を停止してから用紙を取り出す。しかしながら、スタックした用紙と取り出すときに保護カバーを開けずに取り出そうとする場合もあり、その場合、用紙を取り出す時の用紙の荷崩れ等により用紙ガイドとトレイまたは積載用紙間で指等が挟まれたままトレイが上昇し、用紙の荷崩れ状況によっては用紙ガイドを上下にスライドさせるスライド量の限度以上にトレイが上昇する場合が考えられ、非常に危険であった。
【課題を解決するための手段】
【０００５】
本発明は、画像形成装置の出力部分に取り付けられ、排出された用紙を積載する上下動作可能なトレイと、前記排出された用紙の用紙送り方向に垂直な用紙幅方向の積載位置ずれを抑え揃える用紙ガイド部材と、前記トレイに積載された用紙の上面または前記トレイの上面が所定位置で止まる機構と、前記用紙ガイドが上下にスライド移動し前記トレイまたは積載された用紙上面から離れる移動手段と、前記トレイの動作を停止させてスタックした用紙を取り出す開閉可能な保護カバーと、前記保護カバーの開閉検出機構と、を有する用紙後処理装置において、前記用紙ガイドが上方に所定の距離をスライド移動した場合、前記用紙ガイドが前記保護カバーを持ち上げることにより前記開閉検出機構を動作させ、前記トレイの動作を停させることを特徴とする。
【発明の効果】
【０００６】
本発明によれば、用紙後処理装置のトレイ上に積載された用紙の幅方向位置を揃えるための用紙ガイド部に、トレイまたは積載用紙間で指等が挟まれた場合、用紙ガイドが上方に移動し保護カバーを押し上げる機構を持たせ、保護カバーの開閉検出機構を動作させてトレイの動作を停止させることにより、安全な用紙後処理装置を提供することができる。
【発明を実施するための最良の形態】
【０００７】
以下図面を参照して本発明の実施例を説明する。
【０００８】
図１は、本発明に係る用紙後処理装置の要部構成図である。図１において、フィニッシャー１には、シャフト７が橋渡しで固定され、シャフト７には用紙揃え装置２が対照形状で２ヶ所取り付いている。用紙揃え装置２は、用紙をトレイ６上の用紙幅方向一定の位置に積載させる為、積載される用紙幅方向両端部の位置に用紙ガイド５が位置するよう実装され、またそれぞれ積載する用紙幅に応じシャフト７の軸方向に移動可能となっている。また用紙揃え装置２は、スライドボックス８、スペーサー９、用紙ガイド５、ストッパー１０、ネジ１１で構成され、シャフト７に勘合しているスライドボックス８には、板状のスペーサー９、ストッパー１０がネジ１１により共締めで固定されている。また、板状の用紙ガイド５はスライドボックス８とストッパー１０の間で用紙ガイド５の穴５ａがスペーサー９を囲うように配置され、また用紙ガイド５の板厚はスペーサー９の板厚より若干薄くしていることにより、通常用紙ガイド５は自重にて穴５ａ上部がスペーサー９の上面に接するように位置する。用紙ガイド５の突起５ｂは用紙ガイド５が上方のスライドしたときに保護カバー１２に接触して保護カバー１２を持ち上げる。保護カバー１２は開閉により、開閉検出スイッチ１３を動作させる。
【０００９】
図２は、用紙揃え装置２の保護カバー１２の持ち上げ手段の説明図である。図２において用紙ガイド５の穴５ａは、スペーサー９の外形に対し、上下方向のみ大きくなっており、用紙ガイド５はスペーサー９の左右の縁にそって上方にスライド移動可能となる。図３は用紙ガイドが移動した状態である。トレイ６上の積載用紙を取り除き中にトレイ６が上昇し、近接した積載用紙またはトレイ６と用紙ガイド５の間に指等が挟まった場合には、用紙ガイド５が上方に移動する。このとき、用紙ガイド５の突起部５ｂが保護カバー１２を持ち上げ、開閉検出スイッチ１３を動作させ、トレイ６の上昇動作を停止させる。
【図面の簡単な説明】
【００１０】
【図１】本発明に係る用紙後処理装置の要部の模式図である。
【図２】本発明に係る用紙後処理装置の保護カバー持ち上げ手段の模式図である。
【図３】用紙ガイドが移動した状態を示す模式図である。
【符号の説明】
【００１１】
１はフィニッシャー、２は用紙揃え装置、４は用紙、５は用紙ガイド、５ａは用紙ガイドの穴、５ｂは用紙ガイドの突起部、６はトレイ、７はシャフト、８はスライドボックス、９はスペーサー、１０はストッパー、１１はネジ、１２は保護カバー、１３は開閉検出スイッチである。
【図１】
2006137551.tif 000003
【図２】
2006137551.tif 000004
【図３】
2006137551.tif 000005
(57)【要約】      （修正有）【課題】用紙サイズの変更に伴う、用紙バスケット交換の際に、安全性を確保し、且つ煩わしいオペレーターの操作がない排紙装置を提供する。【解決手段】印刷済用紙を積み重ねて収容する用紙積載テーブルと、前記用紙積載テーブルを昇降させるテーブル駆動機構と、前記用紙積載テーブル上に排出された用紙を収容、運搬する用紙積載箱と、前記用紙積載箱を出し入れするドロア２とを有する排紙装置において、前記用紙サイズに応じて前記ドロア上に仕切板３を設けた。【選択図】図２
2006137556.tif 000002
【特許請求の範囲】
【請求項１】
印刷済用紙を積み重ねて収容する用紙積載テーブルと、
前記用紙積載テーブルを昇降させるテーブル駆動機構と、
前記用紙積載テーブル上に排出された用紙を収容、運搬する用紙積載箱と、
前記用紙積載箱を出し入れするドロアとを有する排紙装置において、
前記用紙積載箱のサイズに応じて前記ドロア上に仕切り板を設けたことを特徴とする排紙装置。
【請求項２】
前記仕切り板は、折り畳み可能であることを特徴とする請求項１記載の排紙装置。
【発明の詳細な説明】
【技術分野】
【０００１】
本発明は、複写機、レーザービームプリンター等の画像形成装置の後段に接続される排紙装置に関するものである。
【背景技術】
【０００２】
図４に排紙装置の一例を示す。排紙装置６は、画像形成装置（図示せず）の後段に設けられ、画像形成装置から出力される印刷済用紙を揃えて積み重ねていくものである。この排紙装置６は製本や仕分けなどの後処理を考慮し、印刷済用紙のサイズ毎に複数のスタックトレイに排出され、図３のようにスタックトレイにそれぞれ設けられたドロア２上の用紙積載箱５（以下用紙バスケットと呼ぶ）の中に配されている用紙積載テーブル上に積み重ねられる。このドロア２及び用紙バスケット５は通常、スタックトレイ毎にそれぞれカバーに覆われ、必要に応じてカバーを開閉することによりドロア２を引き出し用紙バスケット５内の用紙を取り出す構成の場合や、またカバー無しの構成で直接ドロア２を引き出し、用紙バスケット５内の用紙を取り出す構成が取られている。
【発明の開示】
【発明が解決しようとする課題】
【０００３】
しかしながら、前記のような特にスタックトレイにカバー無しの構成の際には用紙バスケットが用紙サイズ（ショートサイズやロングサイズ）に分けて採用されることが無く、一種類の用紙バスケットで全ての用紙サイズに対応させる必要があるため、必然的に画像形成装置の性能最大の用紙サイズに合わせた大きい用紙バスケット（以下、ラージバスケットと称す）のみの構成であった。
【０００４】
さらに、ショートサイズ用紙に合わせた小さい用紙バスケット（以下、スモールバスケットと称す）を採用しようとしても、スタックトレイにカバー無しのオープン状態のために、単にスモールバスケットをセットしたのみではラージバスケットとの大きさの違いによりテーブル昇降部が剥き出しになるため、その安全性を確保するためにはダミーの箱とその検出手段等の目隠しを設ける必要がある。
【０００５】
しかしながら、前記のような手段においては、画像形成装置で印刷される用紙サイズが変わり、排紙装置のスタックトレイ内の用紙バスケットを取替える場合にオペレーターの操作が煩雑になることになる。
【課題を解決するための手段】
【０００６】
本発明は、印刷済用紙を積み重ねて収容する用紙積載テーブルと、用紙積載テーブルを昇降させるテーブル駆動機構と、前記用紙積載テーブル上に排出された用紙を収容、運搬する用紙積載箱と、用紙積載箱を出し入れするドロアとを有する排紙装置において、用紙積載箱のサイズに応じてドロア上に仕切り板を設けたことを特徴とする。
【発明の効果】
【０００７】
本発明によれば、排紙装置の用紙サイズによる用紙バスケットの交換の際の煩雑さを防止でき、且つ安全性を確保できる。
【発明を実施するための最良の形態】
【０００８】
相違なバスケット交換時のオペレーターの煩雑さの軽減と、ショートバスケットセット時の安全性の確保という目的を、ドロアに回転収納可能なしきり板にて実現した。以下本発明を実施例図面によって説明する。
【０００９】
図１および図２は本発明の画像形成装置の排紙装置の一実施例である。
図１において、スモールバスケット１をドロア２にセットする際は、仕切り板３をドロア２上にドロア２とのなす角度が９０度となるようにセットされる。
【００１０】
このとき、仕切り板３が図２の状態のように収納されている場合は、スモールバスケット1をセットすることができないようになっており、さらに仕切り板３がドロア２上に所定の位置（９０度）にセットされない場合はスモールバスケット１と干渉しセットできなくなる。
【００１１】
仕切り板３を正常にセットした場合は、スモールバスケット３セットの際のテーブルアーム昇降による安全性を確保することができる。
【００１２】
また図２において、ラージバスケット４をドロア２にセットする際は、仕切り板３をドロア２上に図２の如く折り畳む。この際に仕切り板３が折り畳まれていない場合は、ラージバスケット４と干渉しセットできなくなり、誤挿入を防ぐことができる。
【図面の簡単な説明】
【００１３】
【図１】本発明画像形成装置において、ショートバスケットのセット状態を示す斜視図である。
【図２】本発明画像形成装置において、ラージバスケットのセット状態を示す斜視図である。
【図３】従来のバスケットのセット状態を示す斜視図である。
【図４】排紙装置の一例を示す斜視図である。
【符号の説明】
【００１４】
１はスモールバスケット、２はドロア、３は仕切り板、４はラージバスケット、５はバスケット、６は排紙装置である。
【図１】
2006137556.tif 000003
【図２】
2006137556.tif 000004
【図３】
2006137556.tif 000005
【図４】
2006137556.tif 000006
(57)【要約】【課題】  プッシュ式ボトルの使用時に、従来通りの使い方で使用量を節約できる、プッシュ式ボトルの節約リングを提供する。【解決手段】  切り込みの入ったリングをプッシュディスペンサーの首の部分（伸縮している部分）にかませることを特徴とするプッシュ式ボトルの節約リング。【選択図】  図２
2006137489.tif 000002
【特許請求の範囲】
【請求項１】
切り込みの入ったリングをプッシュディスペンサーの首の部分（伸縮している部分）にかませることを特徴とするプッシュ式ボトルの節約リング。
【発明の詳細な説明】
【技術分野】
【０００１】  本発明は、プッシュ式ボトル入りシャンプー（化粧品）等の使用量を節約させるボトルのプッシュディスペンサーに関するものである。
【背景技術】
【０００２】  従来は、一回分の量を節約したい時は手指での微妙な調整を行っていた。
【発明の開示】
【発明が解決しようとする課題】
【０００３】  そのために次のような問題点があった。
慌てて押しすぎた時などに、無駄に必要以上の量が出てしまい戻すことも出来ず、内容量の減少が早く経済的にも効率が悪かった。
本発明は、以上の問題点を解決するためになされたものである。
【課題を解決するための手段】
【０００４】  切り込みの入ったリング本体を、プッシュディスペンサーの首の部分（伸縮している部分）にかませて使用する。以上を特徴とするプッシュ式ボトルの節約リングである。
【発明の効果】
【０００５】  従来通りの使用方法で、リング本体の厚みの分だけポンプヘッドが押し下げられなくなるため、使用量を節約することが出来る。
【発明を実施するための最良の形態】
【０００６】  以下、本発明の実施の形態を説明する。
（イ）柔軟性のある素材で出来たリング本体（１）の一部に切り込み（２）を入れる。
（ロ）リング本体（１）及び穴（３）のサイズは大と小の二種類ある。
本発明は、以上の構成によりなっている。
本発明を使用するときは、切り込み（２）の部分を開きプッシュディスペンサーの首（４）の部分に装着する。通常ポンプヘッド（５）は押し込まれた分だけ中身が出る仕組みになっているのでリング本体（１）が装着されていることにより、その厚みの分だけ押し込むことが出来ずに使用量を節約することが出来る。
また、リング本体（１）には柔軟性があるためにボトルの買換え時に何度でもつけ直すことが出来る。
【図面の簡単な説明】
【０００７】
【図１】本発明の斜視図
【図２】本発明の装着の仕方
【符号の説明】
【０００８】      １  リング本体
２  切り込み
３  穴
４  首
５  ポンプヘッド
【図１】
2006137489.tif 000003
【図２】
2006137489.tif 000004
(57)【要約】      （修正有）【課題】袋に例えば水や緊急用の食料を入れて手近なところに置いておけば、袋全体が光って暗がりでも目立ち、袋の置き場所ならびにその中に収納されている各種物品がどこに置かれているかが暗がりでも直ぐにわかり、長く光を発することができる、防災、救助、救命に役立つ袋を提供する。【解決手段】高密度ポリエチレンに燐光性物質である粉末を混入し、袋素材に燐光性物質を含有させる。袋口を紐２でくくる形式の袋１のみならず、手提げ袋その他各種の袋に適用することができる。また、各種の袋のみならず、袋物あるいはかばん類等、各種物品を収納するための収納体に広く適用することができる。【選択図】図１
2006137483.tif 000002
【特許請求の範囲】
【請求項１】
燐光性物質を含有する素材からなることを特徴とする物品収納体。
【発明の詳細な説明】
【技術分野】
【０００１】
本発明は、袋口を紐でくくる形式の袋や手提げ袋その他各種の袋、ならびに、袋物あるいはかばん類等、各種物品を収納する場合に用いる物品収納体であって、暗いところでも長く光を発することができるものに関する。
【背景技術】
【０００２】
各種物品を収納する場合に用いる物品収納体として、袋口を紐でくくる形式の袋や手提げ袋その他各種の袋、ならびに、袋物あるいはかばん類などがある。このような物品収納体が暗いところでも光を発するならば、物品収納体の置き場所ならびにその中に収納されている各種物品がどこに置かれているかが暗がりでも直ぐにわかるから、防災、救助、救命に役立つ。
【０００３】
このような物品収納体のうちプラスチック製手提げ袋の中に、暗いところでも光を発するように工夫されたものがある（例えば、特許文献１参照）。
【０００４】
【特許文献１】特開平８−５８８１０号公報
【発明の開示】
【発明が解決しようとする課題】
【０００５】
この手提げ袋では、暗いところでも光を発するようにするために蓄光顔料が用いられ、それを含有するインクで袋の表面に文字や図柄等を印刷し、その部分のみを発光させるという手法が採られている。蓄光顔料としては、通常、光が当らなくても一定時間以上光を発するものが用いられる。
【０００６】
この場合においては、蓄光顔料を含有するインクで文字や図柄等を印刷したところだけが部分的に光るだけで、袋全体は光らないから、目立ちにくいという欠点がある。また、蓄光顔料を用いているから、一定時間発光させることはできても発光させ得る時間が限られており、長く光を発することができないという欠点がある。従って、この手提げ袋を防災、救助、救命用に用いるのは適切ではないと思われる。
【課題を解決するための手段】
【０００７】
本発明は、このような欠点を解消することができ、防災、救助、救命用にも役立つ物品収納体を提供することを目的とするものであって、燐光性物質を含有する素材からなることを特徴とするものである。前記素材からなる物品収納体は全体が光って暗がりでも目立つから、物品収納体の置き場所ならびにその中に収納されている各種物品がどこに置かれているかが暗がりでも直ぐにわかる。
【０００８】
燐光性物質は、通常、光の吸収が止まってからも再放射が継続する性質をいうが、本発明において用いられる燐光性物質は、少なくとも内部量子効率（光を当てた場合など、励起によるエネルギーが光に変換される割合）が従来の蓄光顔料よりも大幅に向上する物質であって、従来の蓄光顔料を用いた場合よりも長く光を発することができるものである。
【発明の効果】
【０００９】
本発明による物品収納体を用いた場合には、物品収納体全体が光って暗がりでも目立つから、物品収納体の置き場所ならびにその中に収納されている各種物品がどこに置かれているかが暗がりでも直ぐにわかるのみならず、従来の蓄光顔料を用いた場合よりも長く光を発することができるという特長がある。
【発明を実施するための最良の形態】
【００１０】
本発明の好ましい実施の形態を、図面に基づいて詳細に説明する。図面には、袋口を紐でくくる形式の袋に本発明を適用した場合の一例を示す。
この袋１は、通常、高密度ポリエチレンをインフレーション押出成形法により作製することができる。高密度ポリエチレンに燐光性物質である粉末を混入して袋素材に燐光性物質を含有させておけば、暗がりでも袋１から光を発するようにすることができる。
【００１１】
この場合において、袋１は全体が光って暗がりでも目立つから、袋の置き場所ならびにその中に収納されている各種物品がどこに置かれているかが暗がりでも直ぐにわかる。従って、この袋１に例えば水や緊急用の食料を入れて手近なところに置いておけば、暗がりでもそれらの置き場所が直ぐにわかって防災、救助、救命に役立つ。
また、高密度ポリエチレンに混入せしめられている燐光性物質は、少なくとも内部量子効率（光を当てた場合など、励起によるエネルギーが光に変換される割合）が従来の蓄光顔料よりも大幅に向上する物質であるから、従来の蓄光顔料を用いた場合よりも長く光を発することができる。
なお、燐光性物質としては、ストロンチウムアルミネート系の粉末などを挙げることができる。
【００１２】
図面に示す場合には、袋口を紐でくくる形式の袋とするために、袋１の上端部に紐２を通すための紐挿通部３が形成されている。袋口を紐２でくくれば、袋口を締めることができ、携行にも便利である。
【００１３】
ここでは、袋口を紐でくくる形式の袋に本発明を適用し、しかも、袋の素材を高密度ポリエチレン製とした場合を例示したが、本発明は手提げ袋その他各種の袋や各種の袋物あるいはかばん類に適用することができる。これらの場合においても、それらの素材を高密度ポリエチレンその他各種の合成樹脂製とすることが好ましい。
【産業上の利用可能性】
【００１４】
本発明は、袋口を紐でくくる形式の袋のみならず、手提げ袋その他各種の袋に適用することができる。また、各種の袋のみならず、袋物あるいはかばん類等、各種物品を収納するための収納体に広く適用することができる。
【図面の簡単な説明】
【００１５】
【図１】袋口を紐でくくる形式の袋に本発明を適用した場合の一例を示す正面図である。
【符号の説明】
【００１６】
１…袋、２…紐、３…紐挿通部。
【図１】
2006137483.tif 000003
(57)【要約】      （修正有）【課題】シートベルトの部分のスペースにより、衝突の時に、皮膚が切れるという事故から運転者を保護する。【解決手段】車を運転中に、小銭や高速チケットなど急に探す事が、多々有ります。それをスムーズに、わかりやすく、出入れしやすいスペースは、ハンドルの前のシートベルトの所が最適です。その部分にポケットが有ると、便利です。そして女性などの衣服が、肌が広く出る夏はシートベルトの当る所が、肌に直接当り、キズ付くし、肌とシートベルトの間にソフトなクションが有れば、それを防げます。今までシートベルトに装着する、安全カバーは、どこも作ってません。そしてそのスペースを便利に利用もしてません。この「安心ベルトカバーポケット」はその両面をカバーします。【選択図】図６
2006137403.tif 000002
【特許請求の範囲】
【請求項１】
車のシートベルトの部分の安全カバーと便利ポケットの取りはずしの出来る物
【請求項２】
クション性の有る布で人間の首の部分の当る部分をソフトにカバーをする
【請求項３】
カバーに２ヶ所ポケットを付けて、小物などを入れられる様にする
【発明の詳細な説明】
【発明の詳細な説明】
【技術分野】
【０００１】本発明は、車のシートベルトの前面、側面の部分にクション性の有るソフトな布で、皮膚を守ります。そしてポケットの部分はシートベルトのスペースを有意義に利用出来る様にし、小銭入れや、高速道路チケットなど、運転者に資用な物を入れる形になってます。
【従来の技術分野】
【０００２】シートベルトの部分のスペースは、今まで何も使っていない。急ブレーキや、衝突の時に、皮膚が切れるという事故も過去に有りました。カバーを付ける事によって、運転者を保護する事に成ります。
【発明を実施するための最良の形態】
【０００３】本発明は、シートベルトによって、衝突時に起きる、運転者の首など、体を守り。ポケットの部分は、運転中に、必要な物が、スムーズに出せる事によって事故が、防げます。
【図面の簡単な説明】
【図１】開いた裏面
【図２】開いた表面
【図３】マジックテープで重ねた状態
【図４】断面した図
【図５】シートベルトに装着した状態
【図６】シートベルトに装着した図
【図１】
2006137403.tif 000003
【図２】
2006137403.tif 000004
【図６】
2006137403.tif 000005
【図３】
2006137403.tif 000006
【図４】
2006137403.tif 000007
【図５】
2006137403.tif 000008